(57)【特許請求の範囲】
【請求項１】
ユーザー装置(ＵＥ)により、サービング基地局から、能力照会メッセージを受信し、前記ＵＥが、周波数バンドのリストおよびキャリアアグリゲーション(ＣＡ)バンド結合のリストをサポートするひとつまたはそれ以上の無線周波数モジュールを含む工程と、
ＵＥ測定パラメータを含む能力情報を前記基地局に伝送し、前記測定パラメータが、ターゲットセルの測定される周波数バンドのリストに関連する各周波数バンドおよび各ＣＡバンド結合のギャップが必要なパラメータを含む工程、および、
前記基地局から、測定設定メッセージを受信する工程、を含み、
前記ギャップが必要なパラメータはブール変数のリストで、各変数は、測定ギャップが、特定の測定される周波数バンドに関する特定の周波数バンドまたはＣＡバンド結合に必要かを示し、
測定される周波数バンドの前記リストは、インター周波数バンドリストおよびＲＡＴ内周波数バンドリストを含むことを特徴とする方法。 
【請求項２】
キャリアアグリゲーションが設定または再設定される時、前記ＵＥは、測定パラメータを前記基地局に報告することを特徴とする請求項１に記載の方法。
【請求項３】
トリガメッセージを前記基地局に伝送して、前記基地局が前記ＵＥ能力照会メッセージを伝送する工程をさらに含むことを特徴とする請求項１に記載の方法。
【請求項４】
前記測定設定メッセージに応答して、測定ギャップアプリケーションメッセージを伝送し、前記測定ギャップアプリケーションメッセージは、前記ＵＥが、測定ギャップを各配置されたコンポーネントキャリア(ＣＣ)に応用するか示す工程をさらに含むことを特徴とする請求項１に記載の方法。
【請求項５】
ＣＣ設定が前記ＵＥで変化する時、前記ＵＥは、前記測定ギャップアプリケーションメッセージを伝送することを特徴とする請求項４に記載の方法。
【請求項６】
ユーザー装置(ＵＥ)であって、
周波数バンドのリストおよびキャリアアグリゲーション(ＣＡ)バンド結合のリストをサポートするひとつまたはそれ以上の無線周波数モジュール、および、
測定パラメータを決定し、前記測定パラメータが、測定される周波数バンドのリストに関する各周波数バンドおよび各ＣＡバンド結合のギャップが必要なパラメータを含み、前記ＵＥが、ＵＥ能力照会メッセージに応答して、前記測定パラメータを含むＵＥ能力情報を基地局に伝送する測定モジュール、を含み、
前記ギャップが必要なパラメータはブール変数のリストで、各変数は、測定ギャップが、特定の測定される周波数バンドに関連する特定の周波数バンドまたはＣＡバンド結合に必要かを示し、
測定される周波数バンドの前記リストは、インター周波数バンドリストおよびＲＡＴ内周波数バンドリストを含む
ことを特徴とするユーザー装置。
【請求項７】
キャリアアグリゲーションが設定または再設定される時、前記ＵＥは、測定パラメータを前記基地局に報告することを特徴とする請求項６に記載のユーザー装置。
【請求項８】
前記ＵＥは、トリガメッセージを前記基地局に伝送し、前記基地局は、ＵＥ能力照会メッセージを伝送することを特徴とする請求項６に記載のユーザー装置。
【請求項９】
前記ＵＥは、測定設定メッセージに応答して、測定ギャップアプリケーションメッセージを伝送し、前記測定ギャップアプリケーションメッセージは、前記ＵＥが、測定ギャップを各配置されたコンポーネントキャリアに応用するかを示すことを特徴とする請求項６に記載のユーザー装置。
【請求項１０】
ＣＣ設定が前記ＵＥで変化する時、前記ＵＥは、前記測定ギャップアプリケーションメッセージを伝送することを特徴とする請求項９に記載のユーザー装置。
【請求項１１】
基地局により、能力照会メッセージをユーザー装置(ＵＥ)に伝送し、前記ＵＥが、周波数バンドのリストおよびキャリアアグリゲーション(ＣＡ)バンド結合のリストをサポートする工程と、
前記ＵＥから、ＵＥ測定パラメータを含む能力情報を受信し、前記測定パラメータが、測定される周波数バンドのリストに関連する各周波数バンドおよび各ＣＡバンド結合のギャップが必要なパラメータを含む工程、および、
前記測定パラメータに応答して、測定設定メッセージを前記ＵＥに伝送する工程、を含み、
前記設定メッセージは、測定ギャップ受信期間(ＭＧＲＰ)およびフレーム／サブフレーム位置を決定するギャップオフセットを含み、測定を実行する
ことを特徴とする方法。
【請求項１２】
前記設定メッセージは、コンポーネントキャリア識別子により、測定ギャップを前記ＵＥに設定することを特徴とする請求項１１に記載の方法。
【請求項１３】
前記ＵＥから、測定ギャップアプリケーションメッセージを受信し、前記測定ギャップアプリケーションメッセージが、前記ＵＥは、測定ギャップを各配置されたコンポーネントキャリアに応用するかを示す工程をさらに含むことを特徴とする請求項１１に記載の方法。
【請求項１４】
前記測定ギャップアプリケーションメッセージはビットマップで、前記ビットマップの各ビットは、各配置されたコンポーネントキャリアに関連することを特徴とする請求項１３に記載の方法。
【請求項１５】
前記測定ギャップアプリケーションメッセージに応答して、確認メッセージを前記ＵＥに伝送する工程をさらに含むことを特徴とする請求項１３に記載の方法。
【請求項１６】
前記基地局は、中断することなく、正常なデータ通信を、測定ギャップを応用しない設定されたコンポーネントキャリアにスケジューリングすることを特徴とする請求項１３に記載の方法。
【発明の詳細な説明】
【技術分野】
【０００１】
この出願は、２０１１年１月１０日に出願された「Measurement Gap Configuration in Carrier Aggregations」と題された米国特許仮出願番号６１／４３１３０１号から、合衆国法典第３５編第１１９条の下、優先権を主張するものであり、その内容は引用によって本願に援用される。
【０００２】
本発明は、マルチキャリア（multi-carrier）無線通信システムに関するものであって、特に、キャリアアグリゲーション(carrier aggregation)中の測定ギャップ設定(measurement gap、ＭＧ)に関するものである。
【背景技術】
【０００３】
Ｅ-ＵＴＲＡＮは、モバイルネットワークに用いる３ＧＰＰのロングタームエボリューション(Long Term Evolution、ＬＴＥ)アップグレードパスの空気界面である。Ｅ-ＵＴＲＡＮモバイルネットワークにおいて、ブロードキャストまたは専用の制御を用いて、ネットワークはＵＥを制御して、イントラ／インター周波数移動度(intra/inter-frequency mobility)の測定を実行する。たとえば、RCC_IDLE状態下で、ＵＥは、Ｅ-ＵＴＲＡＮブロードキャストにより指定されるセル再選択に定義される測定パラメータに従う。一方、RCC_CONNECTED状態下で、ＵＥは、Ｅ-ＵＴＲＡＮ(たとえば、ＵＴＲＡＮ MEASUREMENT_CONTROL中)からの無線リソース制御(ＲＲＣ)により指定される測定設定に従う。
【０００４】
シングルキャリアモバイルネットワーク中、現在のターゲットセルとターゲットセルが同じキャリア周波数で発生するとき、イントラ周波数帯測定が発生する。図１Ａ(従来の技術)は、イントラ周波数帯測定を示す図である。図１Ａの例において、ＵＥ１１は、キャリア周波数fc1上で、現在のセルに供され(served)、測定されるターゲットセルも、キャリア周波数fc1で操作する。このような状況で、ＵＥ１１は、測定ギャップなしで、このような測定を実行することができる。これは、ＵＥ１１のレシーバは、fc1上の参照信号を測定すると同時に、同じfc1でデータ通信を実行することができるからである。
【０００５】
一方、ターゲットセルが、現在のセルと異なるキャリア周波数で操作する時、インター周波数帯測定が発生する。同様に、ターゲットセルが、現在のセルと異なるＲＡＴで操作する時、ＲＡＴ内(Radio Access Technology)測定が発生する。図１Ｂ(従来の技術)は、インター周波数帯測定を示す図である。図１Ｂの例において、ＵＥ１２は、キャリア周波数fc1上で、現在のセルに供され、測定されるターゲットセルは、異なるキャリア周波数fc2で操作する。このような状況で、ＵＥ１２は、測定ギャップなしで、測定を実行することができない。これは、ＵＥ１２上のレシーバが、fc2に切り換えて、測定を実行し、その後、また、fc1に戻して、データ通信を実行する必要があるからである。
【０００６】
キャリアアグリゲーションのマルチキャリアモバイルネットワーク中、ＵＥは、高確率で、複数のレシーバを配備する。ＵＥが、インター周波数またはＲＡＴ間測定中、測定ギャップが必要かは、そのレシーバの使用に基づく。図２Ａ(従来の技術)は、測定ギャップが必要ない状況を示す図である、図２Ａの例において、レシーバＡはどのコンポーネントキャリア(ＣＣ)も配置せず、レシーバＢが用いられて、fc2のアクティブＣＣ上で、データ通信を実行する。レシーバＡはアイドル状態なので、ターゲットセルのfc3に切り換えられ、よって、ＵＥ２１は、ターゲットセルに対し測定を実行する測定ギャップが必要ない。図２Ｂ(従来の技術)は、測定ギャップが必要な状況を示す図である。図２Ｂの例において、ＵＥ２２は、レシーバＡを用いて、fc1のアクティブＣＣで、データ通信を実行し、レシーバＢを用いて、fc2の別のアクティブＣＣで、データ通信を実行する。二個のレシーバが占用されるので、ＵＥ２２は、ターゲットセルにインター周波数測定を実行する測定ギャップが必要で、ターゲットセルは、異なるキャリア周波数fc3で操作する。
【０００７】
ＬＴＥ／ＬＴＥ-Ａシステムにおいて、ＵＥは、測定ギャップ（ＭＧ）の必要性をＵＥ能力の一部として、そのサービングｅＮＢに報告する。ＵＥ能力報告に基づいて、ｅＮＢは、各ＵＥにＭＧを配置する。一般に、第一状況において、少なくともひとつのレシーバがコンポーネントキャリアを設置しない場合、ＵＥは、インター周波数帯/ＲＡＴ間測定にＭＧを必要としない。第二状況において、全レシーバがデータ伝送のために占用される場合、ＵＥは、インター周波数帯/ＲＡＴ間測定にＭＧを必要とする。しかし、現在のＭＧ報告と設定下で、ｅＮＢは、第一および第二状況間を区分する情報がない。このほか、現在のＭＧシグナリングに基づいて、ＭＧ設定はＵＥを基準とする。一旦、一個の複数のレシーバを有するＵＥがＭＧを配置すると、ネットワークは、ＵＥの全レシーバでのデータ伝送を期待しない。つまり、ＵＥ中の全レシーバは同じＭＧ設定を応用しなければならず、よって、顕著なＵＥスループット減少を生じる。一方、ＵＥがＭＧを設置しない場合(ただし、ＵＥは、実際には、測定の実行にＭＧが必要である)、ＵＥは、ＤＲＸモードでだけ、インター周波数帯/ＲＡＴ間測定を実行するので、非最新（non-up-to-date）測定結果を生じ、ハンドオーバ遅延（handover delay）を生じるかもしれない。
【０００８】
効率と効率的なシステム操作を維持するため、ＵＥは、正確に、測定ギャップのその必要性をｅＮＢに報告することが望まれる。ｅＮＢも、ＵＥの必要性に基づいて、ＵＥに、適当な測定ギャップを配置することが望まれる。
【発明の概要】
【発明が解決しようとする課題】
【０００９】
測定ギャップ報告と設定の方法が提供される。
【課題を解決するための手段】
【００１０】
モバイルネットワーク中、ＵＥは、サービング基地局から能力照会メッセージを受信する。ＵＥは、周波数バンドのリストおよびキャリアアグリゲーション(ＣＡ)バンド結合のリストをサポートするひとつまたはそれ以上の無線周波数モジュールを含む。審問に応答して、ＵＥは、測定パラメータを含む能力情報を基地局に伝送する。一具体例において、測定パラメータは、ターゲットセルの測定される周波数バンドのリストと関連する各周波数バンドおよび各ＣＡバンド結合のギャップが必要な(need-for-gap)パラメータを含む。別の例において、測定パラメータは、何対かのギャップが必要なパラメータを含み、各対は、ＵＥが、ＣＡモードおよび非ＣＡモードで測定ギャップを必要とするかを示す。さらに別の例において、測定パラメータは、設定されたコンポーネントキャリア(ＣＣ)毎のギャップが必要なパラメータ、および、各対応する設定されたＣＣの測定される周波数バンドの個数を含む。
【００１１】
報告された測定パラメータに基づいて、ｅＮＢは、測定設定メッセージをＵＥに伝送する。一具体例において、設定メッセージは、ギャップオフセットとフレーム／サブフレーム位置を含み、ギャップオフセットは、測定ギャップ受信期間(ＭＧＲＰ)を決定し、フレーム／サブフレーム位置は測定を実行する。別の例において、設定メッセージは、ＣＣ識別子により、ＵＥに、測定ギャップを設定する。ＵＥは、測定ギャップアプリケーションメッセージを基地局に送り戻す。測定ギャップアプリケーションメッセージは、ＵＥが、各設定されたＣＣにＭＧを応用するか示す。一具体例において、測定設定が変化するまたは ＣＣが変化する時(たとえば、ＣＣが追加、修正、釈放される)、ＵＥは、各設定されたＣＣそのＭＧアプリケーションを報告する。ｅＮＢは、任意で、確認メッセージを伝送し、測定ギャップアプリケーションメッセージに応答する。確認メッセージは、ＵＥにより報告されるＭＧアプリケーションを確認または拒絶する。最後に、ＵＥは、確認メッセージに基づいて、ＭＧを応用する。
【００１２】
他の実施の形態及び利点が以下の詳細な説明に述べられる。この概要は、本発明を定めるものではない。本発明は、請求項によって定められる。
【図面の簡単な説明】
【００１３】
添付の図面は、本発明の実施の形態を説明しており、同様の番号は同様の構成要素を示している。
【図１Ａ】(従来の技術)イントラ周波数帯測定状況を示す図である。
【図１Ｂ】(従来の技術)インター周波数帯測定状況を示す図である。
【図２Ａ】(従来の技術)測定ギャップが必要ない状況を示す図である。
【図２Ｂ】(従来の技術)測定ギャップが必要な状況を示す図である。
【図３】一新規態様によるモバイルネットワーク中の測定ギャップ報告と設定を示す図である。
【図４】一新規態様によるＵＥとｅＮＢ間の測定ギャップを報告および設定する工程を示す図である。
【図５】一新規態様による測定パラメータを報告する第一具体例を示す図である。
【図６】測定パラメータを報告する第一具体例の一例を示す図である。
【図７】一新規態様による測定パラメータを報告する第二具体例を示す図である。
【図８】測定パラメータを報告する第二具体例の一例を示す図である。
【図９】一新規態様による測定パラメータを報告する第三具体例を示す図である。
【図１０】モバイルネットワーク中、測定パラメータを報告するいくつかのトリガ条件を示す図である。
【図１１】モバイルネットワーク中、測定ギャップ設定とアプリケーションの幾つかの具体例を示す図である。
【図１２】測定ギャップ設定とアプリケーション後のＵＥのスケジュールを示す図である。
【図１３】一新規態様による測定ギャップ報告、設定、および、応用の方法のフローチャートである。
【発明を実施するための形態】
【００１４】
本発明の実施態様について詳細に述べる。その例は添付図面に示されている。
【００１５】
図３は、一新規態様によるモバイルネットワーク３００中の測定ギャップ報告と設定を説明する図である。モバイルネットワーク３００は、ユーザー装置ＵＥ３０１およびサービング基地局ｅＮＢ３０２を含む。ＵＥ３０１は、メモリ３１０、プロセッサ３１１、測定ギャップ報告およびアプリケーションモジュール３１２、アンテナ３１４に結合される第一無線周波数モジュール３１３(RF#1)およびアンテナ３１６に結合される第二無線周波数モジュール３１５を含む。同様に、ｅＮＢ３０２は、メモリ３２０、プロセッサ３２１、測定ギャップ設定モジュール３２２、アンテナ３２４に結合される第一ＲＦモジュール３２３(RF#1)およびアンテナ３２６に結合される第二ＲＦモジュール３２５を含む。
【００１６】
Ｅ-ＵＴＲＡＮモバイルネットワークにおいて、ブロードキャストまたは専用の制御を用いることにより、ネットワークは、ＵＥを制御して、イントラ／インター周波数移動度の測定を実行する。キャリアアグリゲーション (ＣＡ)のマルチキャリアモバイルネットワーク中、ＵＥは、高確率で、複数のレシーバを配置する。ＵＥが、インター周波数またはＲＡＴ間測定で、測定ギャップ（ＭＧ）が必要かどうかは、レシーバの使用に基づく。一新規態様において、ＵＥは、ＣＡバンド結合を含む全てのサポートされる周波数バンドでのＭＧの必要性を、そのサービングｅＮＢに報告する。ＵＲ報告に基づいて、ｅＮＢは、ＵＥに、ＭＧを設定する。
【００１７】
図３の例において、ＵＥ３０１は、測定パラメータ(たとえば、ライン３４１により示されるＵＥ能力の一部として、ＭＧ報告およびアプリケーションモジュール３１２により決定される)をｅＮＢ３０２に報告する。報告された測定パラメータは、ボックス３３１で示されるように、ＣＡバンド結合を含む全てのサポートされる周波数バンド上のInterFreq-NeedForGapおよびInterRAT-NeedForGap情報を含む。報告された測定パラメータに基づいて、ｅＮＢ３０２は、測定ギャップ(たとえば、ライン３４２により示される測定設定メッセージにより、ＭＧ設定モジュール３２２により設定される)をＵＥ３０１に設定する。ボックス３３２で示されるように、測定設定メッセージはGapOffsetを含む。
【００１８】
ＭＧが、ＵＥに設定される時、GapOffsetは、測定ギャップ受信期間(ＭＧＲＰ)を決定するＭＧ設定パラメータである。ＭＧＲＰは、１個の測定周期の時間を表示し、ＵＥがどのくらいに一度測定を実行するかに反映する。たとえば、GapOffset gp0(0..39)は、Gap Pattern Id“0”のオフセットに対応し、MGRP=40ms(たとえば、ＵＥは４０ｍｓ毎に測定を実行する)で、且つ、GapOffset gp1(0..79)は、Gap Pattern Id“1”のオフセットに対応し、MGRP=80ms(たとえば、ＵＥは８０ｍｓ毎に測定を実行する)である。測定ギャップ自身は、ＬＴＥ／ＬＴＥ-Ａ規格により定義される６ｍｓに等しい。図３に示されるように、ＵＥ３０１がＭＧを配置する場合、ＵＥ３０１の二個のレシーバ#1と#2は、ターゲットセルに対し、６ｍｓのＭＧ中、４０ｍｓか８０ｍｓのＭＧＲＰで、測定を実行する。GapOffsetパラメータは、以下の等式に基づいて、ＵＥが測定の実施を開始するシステムフレーム番号(ＳＦＮ)およびサブフレーム番号も決定する。
SFN mod T = FLOOR(gapOffset/10)
サブフレーム = gapOffset mod 10
式中では、 T = MGRP/10
【００１９】
特定の例において、GapOffset = 35の場合、MGRP = 40ms, T = MGRP/10 = 4, (SFN mod 4) = FLOOR (35/10) = 3、サブフレーム = 35 mod 10 = 5である。つまり、図３に示されるように、ＵＥは、SFN = 3, 7, 11, 15 の時のサブフレーム 5 で、そのレシーバを、サービングセルからの受信を停止するように切り換えて、インター周波数帯/ＲＡＴ間測定を実行し、この期間は６ｍｓで、その後、インター周波数帯/ＲＡＴ間測定終了後、サービングセルに戻す。 
【００２０】
図４は、一新規態様によるＵＥ４０１とｅＮＢ４０２間の測定ギャップを報告および設定する工程を示す図である。ステップ４１１で、ｅＮＢ４０２は、まず、ＵＥ能力照会メッセージをＵＥ４０１に伝送する。ステップ４１２で、能力照会メッセージに応答し、ＵＥ４０１は、ＵＥ能力情報をｅＮＢ４０２に報告しなおす。ＵＥ能力情報は測定パラメータを含む。たとえば、ボックス４２１で示されるように、ＵＥ-ＥＵＴＲＡ能力は測定パラメータ(measParameters)を含み、測定パラメータは、さらに、各サポートされる周波数バンド(たとえば、bandList)と各サポートされるＣＡバンド結合(たとえば、CABandCombinationList)のギャップが必要なパラメータを含む。ギャップが必要なパラメータは、測定されるターゲットセルのインター周波数バンドのリスト(たとえば、InterFreq-BandList)とＲＡＴ内バンドのリスト(たとえば、InterRAT-BandList)に関連する。ステップ４１３で、ｅＮＢ４０２は、測定設定メッセージ(たとえば、RRCConnectionReconfigurationメッセージ)をＵＥ４０１に伝送する。測定設定メッセージは測定設定パラメータを含む。たとえば、ボックス４２２で示されるように、RRCConnectionReconfigはmeasConfigを含み、measConfigは、さらに、測定設定パラメータ(たとえば、measGapConfig)のgp0またはgp1を含む。測定設定パラメータgp0とgp1が用いられて、ＭＧをＵＥ４０１に設定する。ステップ４１４において、測定設定パラメータを受信および適用後、ＵＥ４０１はRRCConnectionReconfigurationCompleteメッセージをｅＮＢ４０２に伝送する。
【００２１】
測定ギャップ設定の第一の問題は、ＵＥが、正確に、測定ギャップのその必要性をｅＮＢに報告することである。ＵＥは、複数のレシーバを配置する可能性が高いので、測定ギャップの必要性はそのレシーバの使用に基づく。一般に、少なくともひとつのレシーバがコンポーネントキャリアを配置しない場合、ＵＥは、インター周波数帯/ＲＡＴ間測定に、ＭＧを必要としない。一方、全レシーバがデータ伝送に占用される場合、ＵＥは、インター周波数帯/ＲＡＴ間測定に、ＭＧを必要とする。しかし、キャリアアグリゲーションは問題をさらに複雑にする。イントラバンド(intra-band)キャリアアグリゲーション(同じ周波数バンド中の二個のコンポーネントキャリア)において、ＵＥは、一レシーバだけを用いて、イントラバンドＣＡバンド結合をサポートする。一方、インターバンド(inter-band)キャリアアグリゲーション(異なる周波数バンド中の二個のコンポーネントキャリア)において、ＵＥは、二個のレシーバを用いて、インターバンドＣＡバンド結合をサポートする必要がある。さらに、ＣＡの(再)設定のため、ＭＧの必要性も変化する。よって、ＵＥが正確に測定パラメータをｅＮＢに報告する以下のような各種方法が提案される。
【００２２】
図５は、一新規態様による測定パラメータを報告する第一具体例を示す図である。図５の表５０１は、ＵＥによりそのｅＮＢに報告されるサポートされる周波数バンドのリストおよびサポートされるキャリアアグリゲーション(ＣＡ)バンド結合のリストの測定パラメータ(たとえば、ギャップが必要)を含む。たとえば、ＵＥが、５個のＥＵＴＲＡ周波数バンド(BAND LIST中のBand 1からBand 5)および３個のＣＡバンド結合(ＣＡバンド結合リスト中のCA_1C(Band 1中の２個のコンポーネントキャリア)およびCA_1A-5A(Band 1中の１個のコンポーネントキャリアおよびBand 5中の１個のコンポーネントキャリア)およびCA_5C(Band 5中の２個のコンポーネントキャリア))をサポートする場合、表５０１は８行あり、且つ、各行は、５個の周波数バンドの一つまたは３個のＣＡバンド結合の一つに対応する。一方、ＵＥに測定される周波数バンドが、５個のインター周波数ＬＴＥバンド(インター周波数帯BAND LIST中のBand 1からBand 5)および３個のＲＡＴ内バンド(ＲＡＴ内BAND LIST中のBand X, YおよびZ)を含む場合、表５０１は８列あり、各列は、５個のインター周波数帯ＬＴＥバンドの一つまたは３個のＲＡＴ内バンドの一つに対応する。一具体例において、各ギャップが必要なパラメータは、デジタル(0)または(1)の値を有するブール変数(Boolean variable)である。デジタルゼロは、測定ギャップが必要ないことを示し、デジタル１は、測定ギャップが、特定の測定されるバンドに関連する特定のバンドに必要なことを示す。
【００２３】
図６は、測定パラメータを報告する第一具体例の特定の例を示す図である。図６の例において、ＵＥは、ＬＴＥ周波数バンドのBand 1からBand 5、CA_1C(Band 1中の二個のコンポーネントキャリア)、CA_1A-5A(Band 1中に１個のコンポーネントキャリアおよびBand 5中の１個のコンポーネントキャリア)およびCA_5C(Band 5中の２個のコンポーネントキャリア)中の操作をサポートする。ＵＥは、ＲＡＴ内ＵＴＲＡ周波数バンド B1、B2およびB3もサポートする。この特定の例において、ＵＥは２個のレシーバを配置する。一レシーバは、Band 1,Band 2,Band 3およびBand 4で操作し、別のレシーバはBand 5で操作する。その結果、図６の表６０１は、ＵＥが、ｅＮＢに報告しなければならないインター周波数帯/ＲＡＴ内測定パラメータを表示する。この例から分かるように、ＵＥがBand 5で操作する時、ＵＥは、Band 1, Band 2, Band 3およびBand 4中に操作をサポートするそのフリーのレシーバにより、インター周波数帯/ＲＡＴ内を測定することができるので、ｅＮＢは、ＭＧをＵＥに設定する必要がない。ＣＡがＵＥに設定されるとき、ＵＥが、インター周波数帯/ＲＡＴ間測定にギャップを必要とするかは、ＣＡバンド結合上のＵＥの報告に基づく。たとえば、CA_1A-5AがＵＥに設定される場合、すなわち、ＵＥは、同時に、Band 1と Band 5で操作する場合、インター周波数帯/ＲＡＴ間測定を実行する使用可能なフリーのレシーバがないので、ｅＮＢはＭＧをＵＥに設定する必要がない。一方、CA_5CがＵＥに設定される場合、ｅＮＢは、ＭＧをＵＥに設定する必要がない。ＵＥからの、測定される周波数バンドのリストに関連する各周波数バンドおよび各ＣＡバンド結合の測定パラメータの報告により、ｅＮＢは、さらに、正確に、ＭＧ設定を決定すると共に、測定期間をＵＥに設定する。よって、無線リソースはさらに効率的に利用される。
【００２４】
図７は、一新規態様による測定パラメータを報告する第二具体例を示す図である。図７の表７０１は、ＵＥにより、そのｅＮＢに報告されるサポートされる周波数バンドのリストの測定パラメータ(たとえば、ギャップが必要な)を含む。たとえば、ＵＥが、５個のＥＵＴＲＡ周波数バンド(BAND LIST中のBand 1からBand 5)をサポートする場合、表７０１は５行あり、且つ、各行は、５個の周波数バンドの一つに対応する。一方、ＵＥに測定される周波数バンドが、５個のインター周波数ＬＴＥバンド(インター周波数帯BAND LIST中のBand 1からBand 5)および３個のＲＡＴ内バンド(ＲＡＴ内 BAND LIST 中のBand X,YおよびZ)を含む場合、表７０１は８列あり、且つ、各列は、５個のインター周波数帯ＬＴＥバンドの一つまたは３個のＲＡＴ内周波数バンドの一つに対応する。
【００２５】
図７の例において、測定パラメータフォーマットが再定義されて、複数のギャップが必要なパラメータを含む。その代わりに、各ギャップが必要なパラメータは、一対のまたは三つのブール変数を含み、各ブール変数はデジタル(0)または(1)の値を有する。デジタルゼロは、測定ギャップが必要ないことを示し、デジタル１は、測定ギャップが必要なことを示す。第一ブール変数は、ＵＥがインター周波数帯ＣＡモードを設定するのに用いられ、第二ブール変数は、ＵＥがイントラ周波数帯ＣＡモードを設定するのに用いられ、第三ブール変数は、ＵＥが非ＣＡモードを設定するのに用いられる。３個が値を満たしていない場合、対応モードは使用可能ではない。たとえば、３個のブール値(Boolean values)(1,-,0)は、ＵＥが、インター周波数帯ＣＡモードで、測定ギャップが必要で、イントラ周波数帯ＣＡモードをサポートせず、および、非ＣＡモードで、測定ギャップを必要としないことを示す。
【００２６】
図８は、測定パラメータを報告する第二具体例の一特定例を示す図である。図８の例において、ＵＥは、ＬＴＥ周波数バンドのBand 1からBand 5,CA_1C(Band 1中の２個のコンポーネントキャリア)およびCA_1A-5A(Band 1中の１個のコンポーネントキャリアおよびBand 5中の１個のコンポーネントキャリア)中の操作をサポートする。ＵＥは、ＲＡＴ内ＵＴＲＡ周波数バンドB1,B2およびB3もサポートする。この特定の例において、ＵＥは、２個のレシーバを配置する。１レシーバは、Band 1,Band 2,Band 3およびBand 4で操作し、別のレシーバはBand 5で操作する。その結果、ＵＥが、ｅＮＢに報告する必要があるインター周波数帯/ＲＡＴ内測定パラメータが、図８の表８０１で示される。ＵＥからのギャップが必要な報告により、ＵＥは、Band 5中の非ＣＡモードで操作する時、ｅＮＢは、ＭＧをＵＥに設定せず、ＵＥが、インター周波数帯ＣＡモード、たとえば、CA_1A-5A,すなわち、Band 1中の１個のコンポーネントキャリアおよびBand 5中の１個のコンポーネントキャリアを有するキャリアアグリゲーションで操作する時、ｅＮＢはＭＧをＵＥに設定する。 
【００２７】
図９は、一新規態様による測定パラメータを報告する第三具体例を示す図である。図９の例において、ＵＥは、設定されたコンポーネントキャリア(ＣＣ)毎の測定ギャップの要求および各対応する設定されたＣＣの測定されるインター周波数バンドの数量を報告する。図９の表９０１に示されるように、ＵＥは３種の実施状態がある。状況１において、ＵＥは、Band 1で、一個の設定されたＣＣを有し、ＵＥは測定ギャップが不要である(たとえば、ＵＥは２個のレシーバを有し、ひとつはアイドル状態)。状況２において、ＵＥは、２個の設定されたＣＣ、Band 1中の第一CC1とBand 5中の第二CC2を有する。CC1にとって、ＵＥは測定ギャップが必要で、測定されるインター周波数バンドの数量は５である。CC2にとっても、ＵＥは測定ギャップが必要で、測定されるインター周波数バンドの数量は４である。状況３において、ＵＥは、２個の設定されたＣＣ、Band 2中の第一CC1 およびBand 3中の第二CC2を有する。CC1にとって、ＵＥは測定ギャップが不要である。CC2にとって、ＵＥは測定ギャップが必要で、測定されるインター周波数バンドの数量は９である。
【００２８】
ＵＥがＭＧを必要とし、ｅＮＢがＵＥに対し適当な設定をしない場合、ＵＥは、非連続受信(ＤＲＸ)で、インター周波数帯/ＲＡＴ測定のみ実行する。しかし、低頻度のＤＲＸまたは十分な長さでないＤＲＸのため、ネットワークにより課される測定要求が満たされず、非最新測定結果およびハンドオーバ遅延を生じる可能性がある。一方、一旦、ＭＧが、ＭＧが不要なＵＥに設定されると、ネットワークは、ＵＥの全レシーバのデータ伝送を期待しない。つまり、ＵＥ中の全レシーバは、同じＭＧ設定を応用すべきなので、よって、顕著なＵＥスループット減少を生じる。ＵＥからの測定パラメータ報告により、ｅＮＢは、測定ギャップを釈放するかまたはセットアップするかを決定し、さらに具体的には、ＭＧＲＰをＵＥに決定する。図６の表６０１を例とする。ＵＥへのＣＡ設定がCA_5Cの時、ｅＮＢは、ＭＧ設定をＵＥに釈放する。ＣＡがCA_1A-5Aに再設定される時、ｅＮＢは、ＭＧ設定をＵＥにセットアップする。
【００２９】
図１０は、ＵＥ１００１とｅＮＢ１００２を含むモバイルネットワーク中、測定パラメータを報告する幾つかのトリガ条件を示す図である。ＵＥ１００１は、３個のトリガ条件下で、その測定パラメータをｅＮＢ１００２に報告する。第一条件下で、ｅＮＢが審問後、ＵＥは、ＣＡと非ＣＡモードのmeasParameterを報告する。第二条件下で、ＣＡが設定される時、ＵＥは、ＣＡモードのmeasParameterを報告する。第三条件下で、ＭＧの必要性が変化する時、ＵＥは、まず、ｅＮＢを始動して、ＵＥに、ＭＧの必要性を再審問する。たとえば、ＣＡの(再)設定のため、ＭＧの必要性が変化する。ｅＮＢ審問後、ＵＥは、ＣＡと非ＣＡモードのmeasParameterを報告する。図１０に示されるように、ステップ１０１１において、ＵＥ１００１は、まず、トリガメッセージをｅＮＢ１００２に伝送する。たとえば、ＣＡ(再)設定のため、ＭＧの必要性が変化する時、トリガメッセージは、ＵＥ能力照会を始動する。ステップ１０１２において、ｅＮＢ１００２はＵＥ能力照会メッセージをＵＥ１００１に伝送する。ＣＡが(再)設定される時、ＵＥ能力照会は、ＵＥ１００１により始動されるか、または、自動的に、ｅＮＢ１００２により初期化される。ステップ１０１３において、ＵＥ能力照会に応答して、ＵＥ１００１は、ＵＥ能力情報をｅＮＢ１００２に報告する。ＵＥ能力情報は、測定パラメータ、たとえば、各サポートされるバンドおよび各ＣＡバンド結合を含むギャップが必要なパラメータを含む。
【００３０】
測定ギャップ設定の第二問題は、ｅＮＢが、どのようにＵＥの需要にしたがって、測定ギャップを適当に設定するかである。図１１は、ＵＥ１１０１およびｅＮＢ１１０２を含むモバイルネットワーク中、測定ギャップ設定とアプリケーションの幾つかの例を示す図である。図１１に示されるように、ステップ１１１１で、ｅＮＢ１１０２は、測定設定メッセージ(たとえば、RRCConnectionReconfigurationメッセージ)をＵＥ１１０１に伝送する。測定設定メッセージは、ＵＥ１１０１の測定ギャップパラメータ(たとえば、measGapConfig)を含む。ステップ１１１２において、測定ギャップパラメータの受信および適用後、ＵＥ１１０１は、測定ギャップアプリケーションメッセージ(たとえば、RRCConnectionReconfigurationComplete message)をｅＮＢ１１０２に伝送する。測定ギャップアプリケーションメッセージは、各配置されたコンポーネントキャリア(ＣＣ)のＭＧアプリケーションを含む。ステップ１１１３において、ｅＮＢ１１０２は、任意で、確認メッセージをＵＥ１１０１に伝送し、よって、ＵＥ１１０１は、確認メッセージにしたがって、ＭＧパラメータを応用する。
【００３１】
第一具体例において、ｅＮＢ１１０２から測定設定メッセージを受信後(たとえば、ステップ１１１１)、ＵＥ１１０１は、各設定されたＣＣのそのＭＧアプリケーションをｅＮＢ１１０２に報告する(たとえば、ステップ１１１２)。たとえば、ＵＥ１１０１は、そのＲＦチェーンの使用にしたがって、どのＣＣがＭＧパラメータを応用するかを決定する。ＭＧアプリケーションは、各設定されたＣＣと関連するビットマップにより報告される(たとえば、１は対応するＣＣ上でＭＧを応用すること、０は対応するＣＣでＭＧを応用しないことを示す)。特定の一例において、測定設定が変化する時またはＣＣ設定が変化する時(たとえば、ＣＣが追加、修正または釈放される時)、ＵＥ１１０１は、各設定されたＣＣのそのＭＧアプリケーションをｅＮＢ１１０２に報告する。
【００３２】
第二具体例において、ｅＮＢ１１０２は、確認メッセージを伝送することにより、ＭＧの使用を確認する(たとえば、ステップ１１１３)。確認メッセージは、たとえば、バイナリービットである(たとえば、１は、各設定されたＣＣに関連するＭＧの使用のＵＥの要求の確認、０は、ＵＥの要求の拒絶を示し、ＵＥは、元のＭＧ設定を応用しなければならない)。確認メッセージは、たとえば、各設定されたＣＣに関連するＭＧビットマップである(たとえば、１は、対応する設定されたＣＣ上のＭＧの確認、０は拒絶を示す)。確認メッセージに基づいて、ＵＥ１１０１は測定ギャップを応用する。
【００３３】
第三具体例において、ｅＮＢ１１０２は、ＣＣ識別子により、ＵＥ１１０１の測定ギャップを設定する。一般に、ＭＧは、ＵＥ基準で設定される。しかし、システム操作を最適化するため、ＭＧは、ＣＣ基準でも設定される。測定設定メッセージ(たとえば、measGapConfig)は、ガスオフセットパラメータと対応するＣＣ識別子を含む。たとえば、情報伝送を制御する能力があるプライマリーコンポーネントキャリア(ＰＣＣ)は、ＭＧを設定しない。一方、セカンダリーコンポーネントキャリア(ＳＣＣ)は、ＭＧを設定して、測定を実行する。
【００３４】
ＵＥのデータ伝送スケジューリングは、ＵＥがＭＧを設定するか、および、ＵＥが設定されたＭＧを応用するかに基づく。通常、一個の設定されたＣＣが設定され、ＭＧを応用する場合、ｅＮＢは、各測定周期(たとえば、ＭＧＲＰ=40/80ms)のギャップ期間(たとえば、MG=6ms)で、ＣＣに、いかなるアップリンク／ダウンリンクデータ伝送もスケジューリングしない。一方、設定されたＣＣが設定されない、または、ＭＧを応用しない場合、ｅＮＢは、中断することなく、ＣＣ上の正常なデータ伝送をスケジューリングし続ける。
【００３５】
図１２は、測定ギャップ設定とアプリケーション後のＵＥスケジューリングの一例を示す図である。図１２の例において、ＵＥは、２個の無線周波数モジュールRF#1およびRF#2を有する。RF#1は、中心周波数fc1のプライマリーコンポーネントキャリアPCCで操作し、RF#2は、中心周波数fc2のセカンダリーコンポーネントキャリアSCCで操作する。一具体例において、ＵＥは、測定パラメータ(たとえば、ギャップが必要なビットマップ)をｅＮＢに伝送し、ｅＮＢは、設定メッセージで応答して、どの設定されたＣＣがＭＧを設定されないかを示す。これらのＣＣは、正常操作(たとえば、MG-less)を維持／回復することができる。たとえば、ＰＣＣが、ＭＧを設定されないと、ＵＥのRF#1は、周波数バンドfc1で操作して、ＰＣＣ上で、ＰＤＣＣＨの復号を維持する。一方、ＳＣＣが、ＭＧを設置されて、且つ、MGRP = 40msである場合、ＵＥのRF#2は、時間t1から、周波数バンドfc2で操作し、時間t2で、ターゲットセルの周波数バンドfc3に切り換え、測定を6ms実行し、時間t3で、周波数バンド fc2に戻して、ＳＣＣで正常操作を回復させる。ＵＥが、追加情報がない測定設定、たとえば、CC IDがない測定ギャップを受信する場合、ＵＥは、ＭＧが、設定された全ＣＣに応用されたと仮定すべきである。ＵＥが、ｅＮＢから何の確認も受信しない場合、ＵＥは、元の測定設定にしたがって、ＭＧを応用する必要がある。
【００３６】
図１３は、一新規態様による測定ギャップ報告、設定および応用の方法のフローチャートである。ステップ１３０１において、ＵＥは、サービング基地局から能力照会メッセージを受信する。ＵＥは、周波数バンドのリストおよびキャリアアグリゲーション(ＣＡ)バンド結合のリストをサポートする複数のレシーバを配置する。ステップ１３０２において、ＵＥは、ＵＥ能力情報を基地局に伝送する。能力情報は測定パラメータを含み、測定パラメータは、ターゲットセルの測定される周波数バンドのリストに関連する各サポートされる周波数バンドおよびＣＡバンド結合のギャップが必要なパラメータを含む。測定される周波数バンドは、インター周波数バンドリストおよびＲＡＴ内バンドリストを含む。各ギャップが必要なパラメータはブール変数で、測定ギャップが、特定の測定される周波数バンドに関連する特定の周波数バンドまたはＣＡバンド結合に必要かを示す。ステップ１３０３において、ＵＥは、基地局から、測定設定メッセージを受信し、基地局は、報告された測定パラメータに基づいて、ＵＥにＭＧ設定を決定する。ステップ１３０４において、ＵＥは、測定ギャップアプリケーションメッセージを基地局に伝送する。測定ギャップアプリケーションメッセージは、ＵＥが、ＭＧを各配置されたコンポーネントキャリアに応用するか示す。ステップ１３０５において、ＵＥは、測定ギャップアプリケーションメッセージに応答して、基地局から、確認メッセージを受信する。確認メッセージは、ＵＥにより報告されるＭＧアプリケーションを確認、または、拒絶する。最後に、ステップ１３０６において、ＵＥは、確認メッセージに基づいて、ＭＧを応用する。 
【００３７】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図１Ａ】
0005687360.tif 000002
【図１Ｂ】
0005687360.tif 000003
【図２Ａ】
0005687360.tif 000004
【図２Ｂ】
0005687360.tif 000005
【図３】
0005687360.tif 000006
【図４】
0005687360.tif 000007
【図５】
0005687360.tif 000008
【図６】
0005687360.tif 000009
【図７】
0005687360.tif 000010
【図８】
0005687360.tif 000011
【図９】
0005687360.tif 000012
【図１０】
0005687360.tif 000013
【図１１】
0005687360.tif 000014
【図１２】
0005687360.tif 000015
【図１３】
0005687360.tif 000016